(57)【要約】【課題】受光部における多波長の信号光それぞれのＳＮ比の偏差を小さくして信号光伝送品質の劣化を抑制することができる光伝送システムを提供する。【解決手段】光源部１１１〜１１Ｎから出力された信号光は、信号光強度設定部１２１〜１２Ｎにより強度が設定された後に、光合波部１３により合波され、光増幅器１４により光増幅されて、光伝送路３０に出力される。光伝送路３０により伝送されて光受信器２０に到達した多波長の信号光は光分波器２１により波長毎に分波されて、各波長の信号光が受光部２２１〜２２Ｎにより受信される。信号光強度設定部１２１〜１２Ｎは、光送信器１０から出力される各波長の信号光の光強度を、該信号光に対する光フィルタの帯域幅に応じて設定する。【選択図】  図１
2004357045.tif 000002
【特許請求の範囲】
【請求項１】
光送信器から多重化されて出力される多波長の信号光を光伝送路により伝送する光伝送システムであって、
前記多波長の信号光それぞれの光路上に設けられた光フィルタと、
ＳＮ比が所定値以上となる波長の信号光につき、前記光送信器から出力される前記多波長の信号光それぞれの光強度を各信号光に対する前記光フィルタの帯域幅に応じて設定する信号光強度設定手段と
を備えることを特徴とする光伝送システム。
【請求項２】
前記光送信器は、前記多波長の信号光のうち第１信号光を伝送速度ｆｂ１で出力し、他の第２信号光を伝送速度ｆｂ２（ただし、ｆｂ２≠ｆｂ１）で出力し、
前記光フィルタは、前記第１信号光に対する帯域幅がΔνｆ１であり、前記第２信号光に対する帯域幅がΔνｆ２であり、
前記信号光強度設定手段は、前記光送信器から出力される前記第１信号光の光強度Ｐ１および前記第２信号光の光強度Ｐ２それぞれを、「Ｐ２／Ｐ１＝［（ｆｂ２Δνｆ２）／（ｆｂ１Δνｆ１）］１／２」なる式に基づいて設定する
ことを特徴とする請求項１記載の光伝送システム。
【請求項３】
前記光送信器は、前記多波長の信号光のうち第１信号光を伝送速度ｆｂ１で出力し、他の第２信号光を伝送速度ｆｂ２（ただし、ｆｂ２≠ｆｂ１）で出力し、
前記光フィルタは、前記第１信号光に対する帯域幅がΔνｆ１であり、前記第２信号光に対する帯域幅がΔνｆ２であり、
前記信号光強度設定手段は、前記光送信器から出力される前記第１信号光の光強度Ｐ１と前記第２信号光の光強度Ｐ２との比（Ｐ２／Ｐ１）を、（ｆｂ２／ｆｂ１）  と  ［（ｆｂ２Δνｆ２）／（ｆｂ１Δνｆ１）］１／２  との間の値に設定する
ことを特徴とする請求項１記載の光伝送システム。
【請求項４】
前記光送信器は、前記多波長の信号光のうち第１信号光および第２信号光を互いに同じ伝送速度で出力し、
前記光フィルタは、前記第１信号光に対する帯域幅がΔνｆ１であり、前記第２信号光に対する帯域幅がΔνｆ２（ただし、Δνｆ２≠Δνｆ１）であり、
前記信号光強度設定手段は、前記光送信器から出力される前記第１信号光の光強度Ｐ１および前記第２信号光の光強度Ｐ２それぞれを、「Ｐ２／Ｐ１＝（Δνｆ２／Δνｆ１）１／２」なる式に基づいて設定する
ことを特徴とする請求項１記載の光伝送システム。
【請求項５】
前記光送信器は、前記多波長の信号光のうち第１信号光および第２信号光を互いに同じ伝送速度で出力し、
前記光フィルタは、前記第１信号光に対する帯域幅がΔνｆ１であり、前記第２信号光に対する帯域幅がΔνｆ２（ただし、Δνｆ２≠Δνｆ１）であり、
前記信号光強度設定手段は、前記光送信器から出力される前記第１信号光の光強度Ｐ１と前記第２信号光の光強度Ｐ２との比（Ｐ２／Ｐ１）を、値１と  （Δνｆ２／Δνｆ１）１／２  との間の値に設定する
ことを特徴とする請求項１記載の光伝送システム。
【発明の詳細な説明】
【０００１】
【発明の属する技術分野】
本発明は、多波長の信号光を多重化して伝送する光伝送システムに関するものである。
【０００２】
【従来の技術】
波長分割多重（ＷＤＭ：  Ｗａｖｅｌｅｎｇｔｈ  Ｄｉｖｉｓｉｏｎ  Ｍｕｌｔｉｐｌｅｘｉｎｇ）光伝送システムは、多波長の信号光を多重化して光伝送路により伝送するものであり、大容量の情報を高速に送受信することができる。また、光伝送システムは、信号光を光増幅する光増幅器を光伝送路上に備えることで、信号光を長距離伝送することができる。光増幅器は、一般に利得等化器を含み、信号光波長帯域で利得が一定とされる。
【０００３】
このような光増幅器を備えるＷＤＭ光伝送システムにおいて信号光伝送品質を確保するには、非線形光学現象に因る信号光波形の劣化を抑制するとともに、多波長の信号光それぞれのＳＮ比を互いに同程度にすることが要求される。しかし、多波長の信号光の伝送速度（ビットレート）が一定でない場合には、低ビットレートの信号光に合わせて多波長の信号光の強度を設定すると、高ビットレートの信号光はＳＮ比悪化に因り伝送品質が劣化し、逆に、高ビットレートの信号光に合わせて多波長の信号光の強度を設定すると、低ビットレートの信号光は非線形光学現象に因り伝送品質が劣化する。
【０００４】
このような問題点を解決するための発明が特許文献１に開示されている。すなわち、特許文献１に開示された発明は、伝送速度が速いほど信号光の強度を大きくすることで、多波長の信号光それぞれの伝送品質を良好に維持することを意図したものである。
【０００５】
【特許文献１】
特開２００１−３３３０１６号公報
【０００６】
【発明が解決しようとする課題】
しかしながら、上記の特許文献１に開示された発明は、ＷＤＭ光伝送システムにおいて伝送される多波長の信号光それぞれの伝送品質を必ずしも良好に維持することができない。例えば、光増幅器が多段に設けられる場合であって段数が多いときや、光増幅器の雑音指数が大きいときには、信号光伝送品質が劣化する。
【０００７】
本発明は、上記問題点を解消する為になされたものであり、受光部における多波長の信号光それぞれのＳＮ比の偏差を小さくして信号光伝送品質の劣化を抑制することができる光伝送システムを提供することを目的とする。
【０００８】
【課題を解決するための手段】
本発明に係る光伝送システムは、光送信器から多重化されて出力される多波長の信号光を光伝送路により伝送する光伝送システムであって、多波長の信号光それぞれの光路上に設けられた光フィルタと、ＳＮ比が所定値以上となる波長の信号光につき、光送信器から出力される多波長の信号光それぞれの光強度を各信号光に対する光フィルタの帯域幅に応じて設定する信号光強度設定手段とを備えることを特徴とする。この光伝送システムでは、光送信器から出力される多波長の信号光それぞれの光強度は、信号光強度設定手段により、各信号光に対する光フィルタの帯域幅に応じて設定される。ここで、光フィルタは、多波長の信号光それぞれの光路上に設けられたものであって光フィルタとして作用するものの全てを含み、例えば、多波長の信号光を波長毎に分波する光分波器や、受光部の直前に光フィルタが設けられている場合には該光フィルタを含む。光送信器から出力される多波長の信号光それぞれの光強度が光フィルタの帯域幅に応じて設定されることにより、この光伝送システムでは、受光部における多波長の信号光それぞれのＳＮ比の偏差が小さくなり、信号光伝送品質の劣化が抑制され得る。
【０００９】
本発明に係る光伝送システムでは、（１）  光送信器は、多波長の信号光のうち第１信号光を伝送速度ｆｂ１で出力し、他の第２信号光を伝送速度ｆｂ２（ただし、ｆｂ２≠ｆｂ１）で出力し、（２）  光フィルタは、第１信号光に対する帯域幅がΔνｆ１であり、第２信号光に対する帯域幅がΔνｆ２であり、（３）  信号光強度設定手段は、光送信器から出力される第１信号光の光強度Ｐ１および第２信号光の光強度Ｐ２それぞれを、「Ｐ２／Ｐ１＝［（ｆｂ２Δνｆ２）／（ｆｂ１Δνｆ１）］１／２」なる式に基づいて設定するのが好適である。この場合、伝送速度が互いに異なる第１信号光および第２信号光それぞれは、光送信器から出力される際の光強度が上記のように設定されることにより、ＳＮ比の偏差が小さくなり、信号光伝送品質の劣化が抑制される。これは、光伝送経路上の光増幅器の段数が多い又は光増幅器の雑音指数が大きい場合に好適である。
【００１０】
本発明に係る光伝送システムでは、（１）  光送信器は、多波長の信号光のうち第１信号光を伝送速度ｆｂ１で出力し、他の第２信号光を伝送速度ｆｂ２（ただし、ｆｂ２≠ｆｂ１）で出力し、（２）  光フィルタは、第１信号光に対する帯域幅がΔνｆ１であり、第２信号光に対する帯域幅がΔνｆ２であり、（３）  信号光強度設定手段は、光送信器から出力される第１信号光の光強度Ｐ１と第２信号光の光強度Ｐ２との比（Ｐ２／Ｐ１）を、（ｆｂ２／ｆｂ１）  と  ［（ｆｂ２Δνｆ２）／（ｆｂ１Δνｆ１）］１／２  との間の値に設定するのが好適である。この場合、伝送速度が互いに異なる第１信号光および第２信号光それぞれは、光送信器から出力される際の光強度が上記のように設定されることにより、ＳＮ比の偏差が小さくなり、信号光伝送品質の劣化が抑制される。これは、光伝送経路上の光増幅器の段数や雑音指数によらず好適である。
【００１１】
本発明に係る光伝送システムでは、（１）  光送信器は、多波長の信号光のうち第１信号光および第２信号光を互いに同じ伝送速度で出力し、（２）  光フィルタは、第１信号光に対する帯域幅がΔνｆ１であり、第２信号光に対する帯域幅がΔνｆ２（ただし、Δνｆ２≠Δνｆ１）であり、（３）  信号光強度設定手段は、光送信器から出力される第１信号光の光強度Ｐ１および第２信号光の光強度Ｐ２それぞれを、「Ｐ２／Ｐ１＝（Δνｆ２／Δνｆ１）１／２」なる式に基づいて設定するのが好適である。この場合、伝送速度が互いに等しくで光フィルタの帯域幅が互いに異なる第１信号光および第２信号光それぞれは、光送信器から出力される際の光強度が上記のように設定されることにより、ＳＮ比の偏差が小さくなり、信号光伝送品質の劣化が抑制される。これは、光伝送経路上の光増幅器の段数が多い又は光増幅器の雑音指数が大きい場合に好適である。
【００１２】
本発明に係る光伝送システムでは、（１）  光送信器は、多波長の信号光のうち第１信号光および第２信号光を互いに同じ伝送速度で出力し、（２）  光フィルタは、第１信号光に対する帯域幅がΔνｆ１であり、第２信号光に対する帯域幅がΔνｆ２（ただし、Δνｆ２≠Δνｆ１）であり、（３）  信号光強度設定手段は、光送信器から出力される第１信号光の光強度Ｐ１と第２信号光の光強度Ｐ２との比（Ｐ２／Ｐ１）を、値１と  （Δνｆ２／Δνｆ１）１／２  との間の値に設定するのが好適である。この場合、伝送速度が互いに等しくで光フィルタの帯域幅が互いに異なる第１信号光および第２信号光それぞれは、光送信器から出力される際の光強度が上記のように設定されることにより、ＳＮ比の偏差が小さくなり、信号光伝送品質の劣化が抑制される。これは、光伝送経路上の光増幅器の段数や雑音指数によらず好適である。
【００１３】
【発明の実施の形態】
以下、添付図面を参照して本発明の実施の形態を詳細に説明する。なお、図面の説明において同一の要素には同一の符号を付し、重複する説明を省略する。
【００１４】
図１は、本実施形態に係る光伝送システム１の構成図である。この図に示される光伝送システム１は、光送信器１０、光受信器２０および光伝送路３０を備え、光送信器１０から多重化されて出力される多波長の信号光を光伝送路３０により光受信器２０へ送信する。
【００１５】
光送信器１０は、光源部１１１〜１１Ｎ、信号光強度設定部１２１〜１２Ｎ、光合波器１３および光増幅器１４を備える。Ｎは２以上の整数である。光源部１１ｎは波長λｎの信号光を出力する。ｎは１以上Ｎ以下の各整数である。光源部１１１〜１１Ｎそれぞれが出力する信号光の波長は互いに異なる。信号光強度設定部１２ｎは、光源部１１ｎから出力された波長λｎの信号光を入力し、その信号光の強度を適切に調整して光合波器１３へ出力する。信号光強度設定部１２１〜１２Ｎそれぞれとして、例えば、減衰量が可変の光減衰器や、利得が可変の光増幅器が用いられる。光合波器１３は、信号光強度設定部１２１〜１２Ｎそれぞれから出力された各波長の信号光を入力して、これらを合波して光増幅器１４へ出力する。光増幅器１４は、光合波器１３から多重化されて出力された多波長の信号光を一括光増幅して、光伝送路３０へ出力する。
【００１６】
光受信器２０は、光分波器２１および受光部２２１〜２２Ｎを備える。光分波器２１は、光伝送路３０により伝送されて到達した多波長の信号光を入力し、この多波長の信号光を波長毎に分波して受光部２２１〜２２Ｎへ出力する。受光部２２ｎは、光分波器２１から出力された波長λｎの信号光を受信する。すなわち、光分波器２１は、光源部１１ｎから受光部２２ｎへ至る波長λｎの信号光の光路上に設けられた光フィルタとして作用する。なお、受光部２２ｎの直前に光フィルタが設けられていてもよい。
【００１７】
光伝送路３０は、正分散光ファイバ３１１〜３１３、負分散光ファイバ３２１〜３２３および光増幅器３３１〜３３３を備える。正分散光ファイバ３１１〜３１３は、信号光波長帯域において波長分散が正である光ファイバである。負分散光ファイバ３２１〜３２３は、信号光波長帯域において波長分散が負である光ファイバである。光増幅器３３１〜３３３は、多波長の信号光を一括光増幅する。正分散光ファイバ３１１および負分散光ファイバ３２１は、互いに縦続接続されていて、光増幅器１４と光増幅器３３１との間に設けられている。正分散光ファイバ３１２および負分散光ファイバ３２２は、互いに縦続接続されていて、光増幅器３３１と光増幅器３３２との間に設けられている。正分散光ファイバ３１３および負分散光ファイバ３２３は、互いに縦続接続されていて、光増幅器３３２と光増幅器３３３との間に設けられている。光増幅器３３３と光分波器２１との間に、更に、正分散光ファイバ、負分散光ファイバおよび光増幅器が設けられていてもよい。
【００１８】
この光伝送システム１では、光源部１１ｎから出力された波長λｎの信号光は、信号光強度設定部１２ｎにより強度が設定された後に、光合波部１３に入力する。光合波部１３からは多波長の信号光が多重化されて出力され、その多波長の信号光は、光増幅器１４により一括光増幅されて、光伝送路３０に出力される。光増幅器１４から出力された多波長の信号光は、正分散光ファイバ３１１および負分散光ファイバ３２１により伝送された後、光増幅器３３１により一括光増幅されて出力される。光増幅器３３１から出力された多波長の信号光は、正分散光ファイバ３１２および負分散光ファイバ３２２により伝送された後、光増幅器３３２により一括光増幅されて出力される。光増幅器３３２から出力された多波長の信号光は、正分散光ファイバ３１３および負分散光ファイバ３２３により伝送された後、光増幅器３３３により一括光増幅されて出力される。このようにして光伝送路３０により伝送されて光受信器２０に到達した多波長の信号光は光分波器２１により波長毎に分波されて、波長λｎの信号光が受光部２２ｎにより受信される。
【００１９】
このような光伝送システム１において、信号光強度設定部１２ｎは、ＳＮ比が所定値以上となる波長の信号光につき、光送信器１０から出力される波長λｎの信号光の光強度を、該信号光に対する光フィルタの帯域幅に応じて設定する。ここで、波長λｎの信号光に対する光フィルタは、光源部１１ｎから受光部２２ｎへ至る波長λｎの信号光の光路上に設けられていて光フィルタとして作用するものの全てを含み、光分波器２１の他、例えば受光部２２ｎの直前に光フィルタが設けられている場合には該光フィルタをも含む。このように信号光強度設定部１２ｎが波長λｎの信号光の光強度を設定することにより、この光伝送システム１では、多波長の信号光それぞれの伝送品質の劣化を抑制することができる。これについて以下に更に詳細に説明する。
【００２０】
図１に示されるような光伝送システム１において、光ファイバ３１１，３２１の損失と光増幅器１４の利得とが互いに等しいとし、光ファイバ３１２，３２２の損失と光増幅器３３１の利得とが互いに等しいとし、光ファイバ３１３，３２３の損失と光増幅器３３２の利得とが互いに等しいとする。また、光増幅器１４，３３１〜３３３それぞれは信号光波長帯域で利得が一定であるとする。
【００２１】
光増幅器間の光ファイバと光増幅器との組合せを１スパンとして、ｋスパン伝送後に受光部２２により受光するときの信号光のＳＮ比は、
【数１】
2004357045.tif 000003
なる式で表される。
【００２２】
この式において、Ｐは初段スパンに入力する信号光の強度であり、ｈはプランク定数であり、νは信号光の光周波数であり、ｎｓｐは自然放出光係数であり、Δｆは受光部２２の帯域幅であり、Ｎは信号光の波数であり、Δνｆは光フィルタの帯域幅である。
【００２３】
光増幅器の段数が少なく光増幅器の雑音指数が小さい場合、上記（１）式の右辺の分母において第１項が支配的となるので、上記（１）式は、
【数２】
2004357045.tif 000004
なる近似式で表される。ここで、Ａは定数である。受光部２２における信号光のＳＮ比は、信号光の初期強度Ｐに比例し、受光部２２の帯域幅Δｆに反比例する。
【００２４】
この（２）式より、受光部２２の帯域幅Δｆが信号光の伝送速度ｆｂに比例している場合であれば、信号光強度Ｐは伝送速度ｆｂに比例した値に設定されればよい。すなわち、光送信器１０から出力される多波長の信号光のうち、波長λ１の信号光の伝送速度がｆｂ１であり、波長λ２の信号光の伝送速度がｆｂ２（ただし、ｆｂ２≠ｆｂ１）であるとすると、光送信器１０から出力される波長λ１の信号光の強度Ｐ１および波長λ２の信号光の強度Ｐ２は、
【数３】
2004357045.tif 000005
なる式を満たすように設定される。
【００２５】
この（３）式は、光増幅器の段数が少なく光増幅器の雑音指数が小さい場合には好適ではあるが、光増幅器の段数が多い又は光増幅器の雑音指数が大きい場合には不適切である。後者の場合には、上記（１）式の右辺の分母において第２項が支配的となるので、上記（１）式は、
【数４】
2004357045.tif 000006
なる近似式で表される。ここで、Ｂは定数である。
【００２６】
この（４）式より、信号光強度Ｐは、信号光の伝送速度ｆｂと光フィルタの帯域幅Δνｆとの積（ｆｂΔνｆ）の平方根に比例した値に設定されればよい。すなわち、光送信器１０から出力される多波長の信号光のうち、波長λ１の信号光の伝送速度がｆｂ１であり、波長λ２の信号光の伝送速度がｆｂ２（ただし、ｆｂ２≠ｆｂ１）であるとし、また、波長λ１の信号光に対する光フィルタの帯域幅がΔνｆ１であり、波長λ２の信号光に対する光フィルタの帯域幅がΔνｆ２であるとすると、光送信器１０から出力される波長λ１の信号光の強度Ｐ１および波長λ２の信号光の強度Ｐ２は、
【数５】
2004357045.tif 000007
なる式を満たすように設定される。
【００２７】
なお、光増幅器の段数や雑音指数によらずに受光部２２における多波長の信号光それぞれのＳＮ比を良好に維持するには、光送信器１０から出力される各波長の信号光の強度の比（Ｐ２／Ｐ１）は、上記（３）式と上記（５）式との間の値となるように設定されるのが好適である。信号光強度設定部１２１〜１２Ｎは、以上のような関係を満たすように各波長の信号光の強度を設定する。
【００２８】
以上の説明では、伝送速度ｆｂが互いに異なる２波長の信号光について説明してきた。しかし、伝送速度ｆｂが互いに等しくて光フィルタの帯域幅Δνｆが互いに異なる２波長の信号光についても同様である。この場合、光送信器１０から出力される波長λ１の信号光の強度Ｐ１および波長λ２の信号光の強度Ｐ２は、
【数６】
2004357045.tif 000008
なる式を満たすように設定される。なお、光増幅器の段数によらずに受光部２２における多波長の信号光それぞれのＳＮ比を良好に維持するには、光送信器１０から出力される各波長の信号光の強度の比（Ｐ２／Ｐ１）は、値１と上記（６）式との間の値となるように設定されるのが好適である。
【００２９】
次に、本実施形態に係る光伝送システムの実施例について比較例と対比して説明する。
【００３０】
第１実施例および第１比較例では、ＷＤＭ伝送する信号光の波数は１００波であり、各信号光の波長は一定の光周波数間隔で配置されている。１００波のうち５０波の信号光の伝送速度ｆｂは１０Ｇｂ／ｓであり、残りの５０波の信号光の伝送速度ｆｂは４０Ｇｂ／ｓである。各信号光に対する光フィルタの帯域幅Δνｆは伝送速度によらず７５ＧＨｚである。伝送速度１０Ｇｂ／ｓの信号光を受信する各受光部の帯域幅Δｆは７．５ＧＨｚであり、伝送速度４０Ｇｂ／ｓの信号光を受信する各受光部の帯域幅Δｆは３０ＧＨｚである。そして、実施例１では、光送信器から送出される伝送速度１０Ｇｂ／ｓの各信号光の強度Ｐは０．６７ｍＷであり、光送信器から送出される伝送速度４０Ｇｂ／ｓの各信号光の強度Ｐは１．３３ｍＷである。一方、比較例１では、光送信器から送出される各信号光の強度Ｐは伝送速度によらず１ｍＷである。
【００３１】
図２は、第１実施例および第１比較例それぞれのＳＮ特性を示すグラフである。この図において、横軸はスパン数ｋを表す。実線は、第１実施例および第１比較例それぞれについて伝送速度１０Ｇｂ／ｓおよび伝送速度４０Ｇｂ／ｓそれぞれの信号光のＳＮ比の差を表す。破線は、伝送速度４０Ｇｂ／ｓの信号光について第１実施例および第１比較例それぞれのＳＮ比の差を表す。この図に示されるように、第１比較例では、伝送速度１０Ｇｂ／ｓの各信号光のＳＮ比と比較して、伝送速度４０Ｇｂ／ｓの各信号光のＳＮ比は、スパン数ｋによらず、６ｄＢ悪い。第１実施例では、スパン数ｋが大きいほど、伝送速度１０Ｇｂ／ｓおよび伝送速度４０Ｇｂ／ｓそれぞれの信号光のＳＮ比の差は小さくなり、スパン数ｋが１０以上であると、ＳＮ比差は０．３ｄＢ以下である。第１比較例に対して第１実施例では、スパン数ｋが大きいほど、伝送速度４０Ｇｂ／ｓの各信号光のＳＮ比の改善量は大きくなり、その改善量は最大２．５ｄＢまで可能である。
【００３２】
第２実施例および第２比較例では、ＷＤＭ伝送する信号光の波数は８波であり、そのうちの４波の信号光は高密度ＷＤＭ（ＤＷＤＭ：  Ｄｅｎｓｅ  ＷＤＭ）伝送され、残りの４波の信号光は低密度ＷＤＭ（ＣＷＤＭ：  Ｃｏａｒｓｅ  ＷＤＭ）伝送される。ＤＷＤＭの４波の信号光それぞれの波長は、ＣＷＤＭの４波のうちの何れかの２波の信号光の波長間に配置される。各信号光の伝送速度ｆｂは、ＤＷＤＭおよびＣＷＤＭによらず１０Ｇｂ／ｓである。ＤＷＤＭの信号光に対する光フィルタの帯域幅Δνｆは７５ＧＨｚであり、ＣＷＤＭの信号光に対する光フィルタの周波数帯域幅Δνｆは波長帯域幅１０ｎｍに相当する。信号光を受信する各受光部の帯域幅Δｆは、ＤＷＤＭおよびＣＷＤＭによらず７．５ＧＨｚである。そして、実施例２では、光送信器から送出されるＤＷＤＭの各信号光の強度Ｐは１．６ｍＷであり、光送信器から送出されるＣＷＤＭの各信号光の強度Ｐは０．４ｍＷである。一方、比較例２では、光送信器から送出される各信号光の強度Ｐは、ＤＷＤＭおよびＣＷＤＭによらず１ｍＷである。
【００３３】
図３は、第２実施例および第２比較例それぞれのＳＮ特性を示すグラフである。この図において、横軸はスパン数ｋを表す。実線は、第２実施例および第２比較例それぞれについてＤＷＤＭおよびＣＷＤＭそれぞれの信号光のＳＮ比の差を表す。破線は、ＣＷＤＭの信号光について第２実施例および第２比較例それぞれのＳＮ比の差を表す。この図に示されるように、第２比較例では、ＤＷＤＭの各信号光のＳＮ比と比較して、ＣＷＤＭの各信号光のＳＮ比は、３ｄＢ以上悪く、スパン数ｋが大きいほど悪い。第２実施例では、スパン数ｋが大きいほど、ＤＷＤＭおよびＣＷＤＭそれぞれの信号光のＳＮ比の差は小さくなり、スパン数ｋが１０以上であると、ＳＮ比差は１．２ｄＢ以下である。第２比較例に対して第２実施例では、スパン数ｋが大きいほど、ＣＷＤＭの各信号光のＳＮ比の改善量は大きくなり、その改善量は最大４ｄＢまで可能である。
【００３４】
【発明の効果】
以上、詳細に説明したとおり、本発明によれば、受光部における多波長の信号光それぞれのＳＮ比の偏差を小さくして信号光伝送品質の劣化を抑制することができる。
【図面の簡単な説明】
【図１】本実施形態に係る光伝送システム１の構成図である。
【図２】第１実施例および第１比較例それぞれのＳＮ特性を示すグラフである。
【図３】第２実施例および第２比較例それぞれのＳＮ特性を示すグラフである。
【符号の説明】
１…光伝送システム、１０…光送信器、１１１〜１１Ｎ…光源部、１２１〜１２Ｎ…信号光強度設定部、１３…光合波器、１４…光増幅器、２０…光受信器、２１…光分波器、２２１〜２２Ｎ…受光部、３０…光伝送路、３１１〜３１３…正分散光ファイバ、３２１〜３２３…負分散光ファイバ、３３１〜３３３…光増幅器。
【図１】
2004357045.tif 000009
【図２】
2004357045.tif 000010
【図３】
2004357045.tif 000011